(57)【要約】【課題】ハウス内の空気の流れを画策すること及び／又は植物の生育環境設定に留まり、ハウスの長手方向に略水平方向の空気の流れと、広域的な空気の流れを確保するには、充分でないこと、またハウス内の作地面積の拡充による作物の収穫量の上昇、作物への作業性の向上を図るには万全ではない。【構成】ハウスの両妻面内部の天井面から一枚又は複数枚の防虫ネットを垂架し、ファン及び／又は換気扇を防虫ネットで囲繞するように、外方に向けて直交方向に折り返すことにより、防虫ネットを張装しない開放部を、前記ハウスの下端に形成し、前記防虫ネットを張装することにより、ハウスの長手方向に略水平方向の空気の流れと、広域的な空気の流れを確保し、開放部を形成することにより、ハウス内における作地面積の拡充と作業性の効率の向上を確保する構成としたハウスの送風システムである。【選択図】図１
2008118864.tif 000002
【特許請求の範囲】
【請求項１】
ハウスの両妻面にファン及び／又は換気扇をそれぞれ設けたハウスの送風システムであって、
このハウスの両妻面内部の天井面から一枚又は複数枚の防虫ネットを垂架し、ファン及び／又は換気扇を防虫ネットで囲繞するように、外方に向けて直交方向に折り返すことにより、防虫ネットを張装しない開放部を、前記ハウスの下端に形成し、前記防虫ネットを張装することにより、ハウスの長手方向に略水平方向の空気の流れと、広域的な空気の流れを確保し、開放部を形成することにより、ハウス内における作地面積の拡充と作業性の効率の向上を確保する構成としたハウスの送風システム。
【請求項２】
請求項１に記載の開放部であって、
この開放部を妻面方向において全体を開放し、長手方向において前記妻面内部から妻面までを開放し、ハウス内における作地面積の拡充と作業性の効率の向上を確保する構成としたハウスの送風システム。
【請求項３】
請求項１に記載の防虫ネットであって、
この防虫ネットを一方側の防虫ネット及び／又は他方側の防虫ネットを、二枚の防虫ネットで構成し、この二枚の防虫ネットに隙間を形成し、前記ハウスの長手方向に略水平方向の空気の流れと、広域的な空気の流れを確保しつつ、ハウス内における作地面積の拡充と作業性の効率の向上を確保する構成としたハウスの送風システム。
【請求項４】
請求項１に記載のファン及び／又は換気扇であって、
この換気扇を回転可能に設け、この換気扇を、吸気用及び／又は排気用の換気扇として利用可能とし、この換気扇を介してこのハウスの外気の吸気及び／又は内気の排気を図りつつ、ハウス内における作地面積の拡充と作業性の効率の向上を確保する構成としたハウスの送風システム。
【請求項５】
請求項１に記載のハウスの送風システムであって、
このハウスの長手方向の側面の一方側及び／又は他方側に防虫ネット材を張装する構成
とし、ハウスの長手方向に略水平方向の空気の流れと、広域的な空気の流れを確保しつつ、ハウス内における作地面積の拡充と作業性の効率の向上を確保する構成としたハウスの送風システム。
【発明の詳細な説明】
【技術分野】
【０００１】
本発明は、果菜類、根菜類、その他の野菜類を栽培するハウス（ビニールハウス、ガラスハウス等のハウス）の換気システムに関する。
【背景技術】
【０００２】
ハウスにおける送風及び／又は換気システム（ハウス内の送風）は、作物の生育において、健全な生育環境と、収穫の拡充及び／又は品質の向上、さらには各人が所望する作物の効率的かつ簡易な栽培等にとって、最低限必要となる条件であり。また、このハウス内の送風は、作物の作柄に応じて、送風量、送風時間等を適宜変更せねばならず、極めて精緻を要する作業である。
【０００３】
そして、昨今、特に要望されていることは、ハウス内の送風（空気の流れ）において、防虫ネットをハウスの長手方向及び／又は妻面方向で張装することにより、ハウスの長手方向に略水平方向の空気の流れと、広域的な空気の流れを確保しつつ、ハウス内における作地面積の拡充と、各人が所望するような作業性の効率の向上を確保することで、例えば、ハウス内における作物への送風領域の拡充と、効率的な送風を確保し、送風量の低量化と、ファン及び／又は換気扇の低容量化等による経済的な効果及び／又は省資源化の達成と、ランニングコストの低廉化、作地面積の拡充による作物の収穫量の上昇、作物への作業性の向上等にある。
【０００４】
以上の状況から、その改良と、要望に応え得る研究と、これらに関する文献も種々散見される。以下、これらに関する文献を先行技術として列挙する。
【０００５】
［１］  先ず、ハウスの長手方向の一方側・他方側の妻面（一方側・他方側とする）にファン及び／又は換気扇を設置し、この長手方向において、外気の導入と、これに基づき内気（室内空気）を排気する文献がある。この文献は、基本的には一方側より外気を吸込み、他方側より排気する（「対の妻面換気」とする）構成であり、何れの発明、考案も、原則として、ハウスの換気を図り、作物の高温障害の回避、病気の発生・蔓延防止等（植物の生育環境とする）を意図する。
【０００６】
文献（１）は、特開昭６０−１４５０１６の「農業用建物の室温調節方法」で、対の妻面換気であり、天井全体に散布装置を設け、室温の調節を図る。また文献（２）は、特開平５−１８４２４５の「植物育成環境制御方法」で、前述の文献（１）と同様な構成である。さらに文献（３）は、特開平１０−１５０８６０の「ハウスの換気システム」で、対の妻面換気であり、一方側のファンに装備したダクトが伸縮する構成であり、ダクトからの水滴による弊害解除を図る。また文献（４）は、特開２００２−３４４３５の「乾麺の乾燥方法及びその施設」で、対の妻面換気であり、吊下げた乾麺素材を、略水平方向の空気の流れを介して乾燥する。
【０００７】
［２］  次に、ハウスの長手方向の天井面及び／又は室内の空中に複数個の循環扇を列設し、このハウスの長手方向に室内空気を誘導する文献がある。これらの文献は、何れも、ハウスの長手方向への空気の流れを確保し、ハウス内の温湿度の均一化、又は作物の高温障害の回避、病気の発生・蔓延防止等を意図する。
【０００８】
文献（５）は、実開昭６０−１３６６５７の「温室用循環扇」で、ハウスの天井面より循環扇を吊下かつ列設する構成であり、前述のハウス内の温湿度の均一化等を図る。また文献（６）は、特開２０００−２３２８２６の「ハウス内空気循環システム」で、前述の文献（５）と同様な構成である。
【０００９】
［３］  そして、害虫の侵入防止を図りつつ、植物に最適な植物栽培用施設（ハウス）及び植物栽培方法に関する文献がある。文献（７）は、特開２００４−８０４９の「植物栽培用施設及び植物栽培方法」で、施設の一方側にネットを張装し、その他方に送風手段（複数のファン）を配備し、栽培植物群の列に沿った気流を生成する。
【００１０】
【特許文献１】特開昭６０−１４５０１６
【特許文献２】特開平５−１８４２４５
【特許文献３】特開平１０−１５０８６０
【特許文献４】特開２００２−３４４３５
【特許文献５】実開昭６０−１３６６５７
【特許文献６】特開２０００−２３２８２６
【特許文献７】特開２００４−８０４９
【発明の開示】
【発明が解決しようとする課題】
【００１１】
文献（１）〜文献（４）は、対の妻面換気であり、外気の導入と、内気の排気を図り、ハウスの環境維持を意図する。しかし、この文献（１）〜文献（４）は、ハウス内の空気の流れを画策すること及び／又は植物の生育環境設定に留まり、ハウスの長手方向に略水平方向の空気の流れと、広域的な空気の流れを確保するには、充分でないこと、またハウス内の作地面積の拡充による作物の収穫量の上昇、作物への作業性の向上を図るには万全ではない。
【００１２】
また文献（５）、文献（６）は、ハウス内の空気の循環、必要により外気の導入と、内気の排気を図り、ハウスの環境維持を意図する。しかし、これらの考案、発明は、ハウス内の空気の流れを確保する（循環扇の活用）に留まっており、前述の文献（１）〜文献（４）と、ほぼ同様な問題を抱えている。
【００１３】
さらに文献（７）は、ハウスにネットを張装し、多数基のファンを配備する構成である。従って、装置が大型化すること、騒音の問題が発生すること等が考えられる。これらの解消が望まれる。そして、この発明の構成では、効率的な送風を確保し、送風量の低量化と、ファンの低容量化等による経済的な効果及び／又は省資源化の達成と、ランニングコストの低廉化等を図るには、少なからず問題を残すと考えられる。また、ネットを張装することでの効率よく送風を行うことを意図しているが、このような張装方法であると、効率的ではないと考えられる。
【課題を解決するための手段】
【００１４】
請求項１の発明は、ハウス内の送風方法であって、このハウスの長手方向において、略均一な略水平方向の空気の流れと、略均一な広域的な空気の流れを確保しつつ、ハウス内の作地面積の拡充、作物への作業性の向上を図る構成とすることで、例えば、略均一な生育環境の確保と、送風領域の拡充と、効率的な送風を確保し、送風量の低量化と、ファンの低容量化等による経済的な効果及び／又は省資源化の達成と、ランニングコストの低廉化等、作物の収穫量の上昇、作物への作業性の向上を図ることで、例えば、次のようなことを意図する。［イ］先ず、ハウス内の温度の上昇の解消に役立てること、［ロ］次に、従来のような温熱環境的に安全な時間帯である日の出後、日没前の数時間程度に限られずに、昼夜の作業を可能とし、効率的な農作業の達成に役立てること、［ハ］また作業温熱環境の改善に役立てること、［ニ］強制対流熱伝達を図ること、〔ホ〕圃場面積を拡充させることで、作物の収穫量を増加させること、〔ヘ〕ハウス内への作業者の出入りが容易になること等を意図する。
【００１５】
この請求項１は、ハウスの両妻面にファン及び／又は換気扇をそれぞれ設けたハウスの送風システムであって、
このハウスの両妻面内部の天井面から一枚又は複数枚の防虫ネットを垂架し、ファン及び／又は換気扇を防虫ネットで囲繞するように、外方に向けて直交方向に折り返すことにより、防虫ネットを張装しない開放部を、前記ハウスの下端に形成し、前記防虫ネットを張装することにより、ハウスの長手方向に略水平方向の空気の流れと、広域的な空気の流れを確保し、開放部を形成することにより、ハウス内における作地面積の拡充と作業性の効率の向上を確保する構成としたハウスの送風システムである。
【００１６】
請求項２の発明は、請求項１の目的を達成すること、この目的を達成するのに最適な開放箇所を提供することを意図する。
【００１７】
請求項２は、請求項１に記載の防虫ネットを張装しない開放部であって、
この開放部を妻面方向において全体を開放し、長手方向において前記妻面内部から妻面までを開放し、ハウス内における作地面積の拡充と作業性の効率の向上を確保する構成としたハウスの送風システムである。
【００１８】
請求項３の発明は、請求項１の目的を達成すること、この目的を達成するのに最適な二枚の防虫ネットを提供することを意図する。
【００１９】
請求項３は、請求項１に記載の防虫ネットであって、
この防虫ネットを一方側の防虫ネット及び／又は他方側の防虫ネットを、二枚の防虫ネットで構成し、この二枚の防虫ネットに隙間を形成し、前記ハウスの長手方向に略水平方向の空気の流れと、広域的な空気の流れを確保しつつ、ハウス内における作地面積の拡充と作業性の効率の向上を確保する構成としたハウスの送風システムである。
【００２０】
請求項４の発明は、請求項１の目的を達成すること、この目的を達成するのに最適な回転可能な換気扇を提供することを意図する。
【００２１】
請求項４は、請求項１に記載の防虫ネットであって、
この防虫ネットを一方側の防虫ネット及び／又は他方側の防虫ネットを、二枚の防虫ネットで構成し、この二枚の防虫ネットに隙間を形成し、前記ハウスの長手方向に略水平方向の空気の流れと、広域的な空気の流れを確保しつつ、ハウス内における作地面積の拡充と作業性の効率の向上を確保する構成としたハウスの送風システムである。
【００２２】
請求項５の発明は、請求項１の目的を達成すること、この目的を達成するのに最適な長手方向に張装する防虫ネットを提供することを意図する。
【００２３】
請求項５は、請求項１に記載のハウスの送風システムであって、
このハウスの長手方向の側面の一方側及び／又は他方側に防虫ネットを張装する構成とし、ハウスの長手方向に略水平方向の空気の流れと、広域的な空気の流れを確保しつつ、ハウス内における作地面積の拡充と作業性の効率の向上を確保する構成としたハウスの送風システムである。
【発明の効果】
【００２４】
請求項１の発明は、ハウスの両妻面にファン及び／又は換気扇をそれぞれ設けたハウスの送風システムであって、ハウスの両妻面内部の天井面から一枚又は複数枚の防虫ネットを垂架し、ファン及び／又は換気扇を防虫ネットで囲繞するように、外方に向けて直交方向に折り返すことにより、防虫ネットを張装しない開放部を、ハウスの下端に形成し、防虫ネットを張装することにより、ハウスの長手方向に略水平方向の空気の流れと、広域的な空気の流れを確保し、開放部を形成することにより、ハウス内における作地面積の拡充と作業性の効率の向上を確保する構成としたハウスの送風システムである。
【００２５】
従って、請求項１は、ハウス内の送風方法であって、ハウスの長手方向において、略均一な略水平方向の空気の流れと、略均一な広域的な空気の流れを確保しつつ、ハウス内の作地面積の拡充、作物への作業性の向上を図る構成とすることで、例えば、略均一な生育環境の確保と、送風領域の拡充と、効率的な送風を確保し、送風量の低量化と、ファンの低容量化等による経済的な効果及び／又は省資源化の達成と、ランニングコストの低廉化等、作物の収穫量の上昇、作物への作業性の向上を図ることで、例えば、次のような特徴を有する。［イ］先ず、ハウス内の温度の上昇の解消に役立てること、［ロ］次に、従来のような温熱環境的に安全な時間帯である日の出後、日没前の数時間程度に限られずに、昼夜の作業を可能とし、効率的な農作業の達成に役立てること、［ハ］また作業温熱環境の改善に役立てること、［ニ］強制対流熱伝達を有すること、〔ホ〕圃場面積を拡充させることで、作物の収穫量を増加できること、〔ヘ〕ハウス内への作業者の出入りが容易になること等の特徴を有する。
【００２６】
請求項２の発明は、請求項１に記載の開放箇所であって、開放箇所を妻面方向において横枠体から圃場に至る箇所とし、長手方向において妻面内部における防虫ネットの張装位置までの箇所とし、ハウス内における作地面積の拡充と作業性の効率の向上を確保する構成としたハウスの送風システムである。
【００２７】
従って、請求項２は、請求項１の目的を達成すること、この目的を達成するのに最適な開放箇所を提供できること等の特徴を有する。
【００２８】
請求項３の発明は、請求項１に記載の防虫ネットであって、防虫ネットを一方側の防虫ネット及び／又は他方側の防虫ネットを、二枚の防虫ネットで構成し、二枚の防虫ネットに隙間を形成し、ハウスの長手方向に略水平方向の空気の流れと、広域的な空気の流れを確保しつつ、ハウス内における作地面積の拡充と作業性の効率の向上を確保する構成としたハウスの送風システムである。
【００２９】
従って、請求項３は、請求項１の目的を達成すること、この目的を達成するのに最適な二枚の防虫ネットを提供できること等の特徴を有する。
【００３０】
請求項４の発明は、請求項１に記載のファン及び／又は換気扇であって、換気扇を回転可能に設け、換気扇を、吸気用の換気扇と、排気用の換気扇として利用可能とし、換気扇を介してハウスの内気の排気を図りつつ、ハウス内における作地面積の拡充と作業性の効率の向上を確保する構成としたハウスの送風システムである。
【００３１】
従って、請求項４は、請求項１の目的を達成すること、この目的を達成するのに最適な回転可能な換気扇を提供できること等の特徴を有する。
【００３２】
請求項５の発明は、請求項１に記載のハウスの送風システムであって、ハウスの長手方向の側面の一方側及び／又は他方側に防虫ネットを張装する構成とし、ハウスの長手方向に略水平方向の空気の流れと、広域的な空気の流れを確保しつつ、ハウス内における作地面積の拡充と作業性の効率の向上を確保する構成としたハウスの送風システムである。
【００３３】
従って、請求項５は、請求項１の目的を達成すること、この目的を達成するのに最適な長手方向に張装する防虫ネットを提供できること等の特徴を有する。
【発明を実施するための最良の形態】
【００３４】
本発明の一例を説明する。
【００３５】
図１は換気扇及びファンを備えたハウス全体の俯瞰図、図２は図１に示したハウス全体の側面図、図３は図１に示したハウスの要部の正面図、図４は図１に示したハウスの要部の斜視図、図５は換気扇に回転機構を設け、この換気扇により吸気又は排気を行うハウスの他の一例を示した正面図、図６は2枚の防虫ネットを張装した更に他の一例を示した正面図である。
【００３６】
図において、単棟、連棟等のビニールハウス、ガラスハウス等のハウス１は、圃場Ｇに対して、複数本の縦枠体１０が立設してあり、この縦枠体１０と直交するようにして、横枠体１１が支持されている。この横枠体１１には、横枠体１１の略中心部にファン４及び／又は換気扇５が載置してある。この横枠体１１の両端からは、ドーム形状の屋根枠体１２が形成されている。
【００３７】
そして、この縦枠体１０、横枠体１１、屋根枠体１２は、長手方向１ａ及び妻面方向１ｂで、適宜間隔をおいて、組込まれて、ハウス１を形成している。
【００３８】
そして、ハウス１の長手方向１ａの両側面１００、１００（１００とする）に防虫ネット２、２をそれぞれ張装し、この長手方向１ａに直交する一方側の妻面１０１にファン４（導入ファン、吸引ファン、強制吸込ファン等のファン）及び／又は他方側の妻面１０１に換気扇５をそれぞれ設ける。そして、この例では、ハウス１の一方側・他方側の妻面１０１、１０１に、間隔７、７（７とする）をおいて防虫ネット２、２（２とする）を、それぞれ張装する。この張装は、ハウスの長手方向及び妻面方向において、ハウス１を間仕切りするように、ハウスの長手方向に略水平方向の空気の流れと、広域的な空気の流れを確保しつつ、害虫の侵入防止と、益虫の逃避防止を図る構成とし、この構成によって、例えば、無農薬栽培及び／又は益虫の有効利用と、省力化等を達成する。
【００３９】
そして、開放部３について、下記に説明する。この開放部３は、長手方向に間隔７を設けてあり、この間隔７の設けた妻面１０１内部の天井面１ｃから垂架し、ファン４及び／又は換気扇５を防虫ネット２で囲繞するように、外方に向けて直交方向に折り返し、妻面１０１まで張装する。側面視すると、この防虫ネット２は、Ｌ字形状となる。なお。この直交方向に折り返す箇所は、横枠体１１と平行であり、横枠体１１に防虫ネット２を張装し、固止及び／又は支持することで、防虫ネット２の張装が容易になり、安定が図れる。
【００４０】
また、この開放部３は、横枠体１１に平行であるので、横枠体１１の位置を変更すれば、この開放部３も変動すると考えられる。そして、この横枠体１１の変更は、ハウス１を組込時等において、作物Ｃの品質等の特性に応じて、作業者が所望する高さへ変更が可能であると考えられる。
【００４１】
さらに、開放部３を横枠体１１と同じ高さ、つまり垂直３ａの高さにしてあることにより、ハウス１内への作業者が横枠体１１の下端に配置されている出入口１５の出入りすることが容易になり、従来であれば、出入りの際に、防虫ネット２を持ち上げるか、防虫ネット２に作業者が通過できるように、切り込みをいれるかの作業が必要であったのが、この必要性もなくなり、作業者が防虫ネット２に対して、ひっかかったり、つまずいたりして怪我をする危険性も軽減され、作業者に対して、快適な作物を生産できると考えられる。
【００４２】
防虫ネット２を張装している箇所においては、前述したように、ファン４を介して（導入側と排気側で）導入した外気の略均一な広域的及び／又は水平的な空気の流れを確保すること、又は外気の略均一な水平導入・排気方式を確保すること等を意図する。この間隔７は、外気の略均一な導入・排気の容易化、送風方向の変更等にも寄与できるものと考えられる。そして、これらの風の流れは、導入側と、排気側の双方において確保できるものであり、その有効性が顕著である。またこの間隔７は、ファン４及び／又は換気扇５の設置スペースの確保と、管理の容易化等に役立て得る等の実益もある。
【００４３】
また、他の実施例においては、この防虫ネット２を、防虫ネット材２００を二枚重畳し、この二枚の重畳間に隙間８を形成する構成とし、導入した外気・ハウス１内の空気（内気）の減速を回避し、かつその流れを確保すること、また害虫の侵入防止と、益虫の逃避防止を確実に達成すること、又は保守管理の容易化、張装の簡便化等に役立てること等を意図する。そして、この隙間８は必ずしも必要でなく、ハウス１の規模、地形・時期・作物等の栽培条件、又はファン４及び／又は換気扇５の規格等を考慮して決定される。尚、図示しないが、防虫ネット材２００の枚数は、一枚から複数枚の構成もあり得る。
【００４４】
このような構成において、ファン４を介してハウス１の全体から略均等に外気を導入する。望ましくは、ハウス１の一方の妻面１０１に設けたファン４を介して外気を導入する。また必要により、その近傍（側面１００）の一部箇所からの外気の導入を図る。即ち、ハウス１の両妻面１０１内部に一枚又は複数枚の防虫ネット２を張装し、ファン４及び一方側の防虫ネット２を介してハウス１への外気の導入、及び他方の防虫ネット２及び換気扇５を介してハウス１の内気の排気を図るとともに、一方側のファン４及び防虫ネット２、並びに他方の防虫ネット２及び換気扇５を介して、ハウス１の長手方向１ａにおいて、略均一な略水平方向の空気の流れＡと、略均一な広域的な空気の流れＢを確保しつつ、ハウス１内の生育環境の均一化を確保し、また生理障害の回避を図る。尚、側面１００からの外気の導入を図ることで、前記略水平方向の空気の流れＡと、広域的な空気の流れＢに新たな外気の導入があって、総合的で、かつハウス１全域の流れが確保できることを図る。
【００４５】
なお、ファン４及び／又は換気扇５を、延設した枠体４０の自由端に設け、間隔を確保し、この換気扇５を、枠体４０の自由端に回転可能に設け、この換気扇５の回転と、間隔を利用して、この換気扇５を、吸気用の換気扇と、排気用の換気扇として利用可能とし、作業者が所望する時宜において、吸気又は排気を使いわけることができ、ハウス１外の風向き等の換気の多様化、効率的な換気を行うことができると考えられる。
【００４６】
［１］ハウス１の生育環境及び／又はハウス１内の作業環境維持が図れる。
【００４７】
［２］［イ］ハウス１内の温度の上昇の解消に役立て得ること、［ロ］従来のような温熱環境的に安全な時間帯である日の出後、日没前の数時間程度に限られずに、昼夜の作業を可能とし、効率的な農作業の達成に役立て得ること、［ハ］作業温熱環境の改善に役立て得ること、［ニ］強制対流熱伝達が図れること、〔ホ〕圃場面積を拡充させることで、作物の収穫量を増加できること、〔ヘ〕ハウス内への作業者の出入りが容易になること等の効果がある。
【００４８】
［３］防虫ネット２はハウス１の通気性をより低下する問題であるが、本願発明は、ハウス１の側面１００、１００に設けたネット２、２から導入した外気と、ハウス１内の略均一な略水平方向の空気の流れＡと、略均一な広域的な空気の流れＢにより、例えば、つられ風を発生し、ハウス１の空気を一掃できること、高温期の昇温による弊害解消と、作物の枯れ、焼け防止が図れること、等の効果がある。
【００４９】
［４］つられ風による外気の導入により、ハウス１内をプラス圧とし、ハウス１の倒壊防止と、ファン４、換気扇５の小型化による省エネ、低コスト化が図れる。
【００５０】
［５］尚、図示しないが、ハウス１の天井面、空間部に、誘導ファンを設置し（高低差をもって設置することも可）、前記総合気流ＡＢを加速及び／又は増大することも可能であり、この例では、下記のような相乗的な特性が考えられる。これによって、外気導入式の強制換気システムが構築できること、又は高温抑制システムを提案できること等の実用性がある。
【００５１】
［６］ハウス１の天井面１ｂにおける温度差換気（図示しない、天窓による）を促進し、またハウス１の温熱環境的に安全に作業できる時間が長くなること、また総合気流ＡＢと換気とによるさらなる複合的な換気及び／又は気流の流れが確保できること、
［７］外気導入式の強制換気システムが構築できること、又は高温抑制システムを提案できること等の実用性があること、等の効果がある。
【００５２】
［８］そして、望ましくは、ハウス１の内圧を上げ、耐風、耐震と、虫の侵入防止の効果を図ることができる。
【００５３】
〔９〕高温に弱い作物の栽培も可能となり、重宝する。
【図面の簡単な説明】
【００５４】
【図１】図１は換気扇及びファンを備えたハウス全体の俯瞰図
【図２】図２は図１に示したハウス全体の側面図、
【図３】図３は図１に示したハウスの要部の正面図
【図４】図４は図１に示したハウスの要部の斜視図
【図５】図５は換気扇に回転機構を設け、この換気扇により吸気又は排気を行うハウスの他の一例を示した正面図、
【図６】図６は２枚の防虫ネットを張装した更に他の一例を示した側面図である。
【符号の説明】
【００５５】
１              ハウス
１０            縦枠体
１１            横枠体
１２            屋根枠体
１ａ            長手方向
１ｂ            妻面方向
１ｃ            天井面
１００          側面
１０１          妻面
２              防虫ネット
２００          防虫ネット材
３              開放部
３ａ            垂直
４              ファン
５              換気扇
５０            枠体
７              間隔
８              隙間
１５            出入口
Ａ              略水平方向の空気の流れ
Ｂ              広域的な空気の流れ
Ｃ              作物
Ｇ              圃場
【図１】
2008118864.tif 000003
【図２】
2008118864.tif 000004
【図３】
2008118864.tif 000005
【図４】
2008118864.tif 000006
【図５】
2008118864.tif 000007
【図６】
2008118864.tif 000008